(57)【要約】  【課題】  ランダムアクセスが可能で“記録−記録停止”動作のたびに個別的・ノンリニアに生成されるファイルを単位として記録が行われ、したがって、生成ファイル数が比較的短期間のうちに規定最大ファイル数に達しやすい傾向をもつデジタル記録媒体が使用されるビデオカメラなどの場合に、再生時に記録媒体に記録される多数の映像ファイルから所望のＡＶデータを容易に選択できない。  【解決手段】  ＡＶデータの記録時に記録媒体内に既に存在するファイルに追加して記録するかあるいは別の独立したファイルとして生成するかを、記録時の条件によって選択し、またファイルに追加する場合は、追加するＡＶデータの先頭位置をそのファイルの管理情報に付加することにより、記録媒体内の多数のＡＶデータから所望のＡＶデータを効率良く選択することができる。【選択図】  図１
2005293749.tif 000002
【特許請求の範囲】
【請求項１】
動画および音声データからなるＡＶデータを記録媒体に記録する記録方法であって、
前記ＡＶデータの記録時に前記記録媒体内に既に存在するファイルに追加して記録するか別の独立したファイルとして生成するかを所定の条件に応じて選択することを特徴とするＡＶデータ記録方法。
【請求項２】
前記既に存在するファイルに追加して記録することを選択した場合には、前記ＡＶデータを前記既に存在するＡＶファイルの終端の位置から追加記録し、かつ、前記ＡＶデータ追加の先頭位置の情報を前記ＡＶファイルに付随する管理ファイルに記録することを特徴とする請求項１に記載のＡＶデータ記録方法。
【請求項３】
前記ＡＶデータ追加の先頭位置の情報の記録については、前記先頭位置を記録ＡＶファイルの内容の変化点として記録を行う請求項１または請求項２に記載のＡＶデータ記録方法。
【請求項４】
前記ＡＶデータ追加の先頭位置の情報の記録については、前記先頭位置を記録ＡＶファイルの時刻情報の不連続点として記録を行う請求項１または請求項２に記載のＡＶデータ記録方法。
【請求項５】
前記ＡＶデータ追加の先頭位置の情報の記録については、前記先頭位置を再生リストファイルに再生開始点として記録を行う請求項１または請求項２に記載のＡＶデータ記録方法。
【請求項６】
前記記録媒体内に既に存在するファイルに追加して記録するか別の独立したファイルとして生成するかを選択する条件は、
前記ＡＶデータの記録開始日時と前記記録媒体内に既に存在するＡＶファイルの生成日時とを比較し、両者の日付が同一である場合には前記の追加記録を選択し、そうでない場合には前記の独立したファイルとしての生成を選択することである請求項１から請求項５までのいずれかに記載のＡＶデータ記録方法。
【請求項７】
前記記録媒体内に既に存在するファイルに追加して記録するか別の独立したファイルとして生成するかを選択する条件は、
前記記録媒体内に既に存在するＡＶファイルの数が所定の数を超える場合には前記の追加記録を選択し、そうでない場合には前記の独立したファイルとしての生成を選択することである請求項１から請求項５までのいずれかに記載のＡＶデータ記録方法。
【請求項８】
前記記録媒体内に既に存在するファイルに追加して記録するか別の独立したファイルとして生成するかを選択する条件は、
前記記録媒体内に既に存在するＡＶファイルのうちに所定のファイルサイズ以下のＡＶファイルが存在する場合には前記の追加記録を選択し、そうでない場合には前記の独立したファイルとしての生成を選択することである請求項１から請求項５までのいずれかに記載のＡＶデータ記録方法。
【請求項９】
前記記録媒体内に既に存在するファイルに追加して記録するか別の独立したファイルとして生成するかを選択する条件は、
前記記録媒体内に既に存在するＡＶファイルの記録操作者と、前記ＡＶデータの記録操作者が同一人物であれば前記の追加記録を選択し、そうでない場合には前記の独立したファイルとしての生成を選択することである請求項１から請求項５までのいずれかに記載のＡＶデータ記録方法。
【請求項１０】
動画および音声データからなるＡＶデータを記録媒体に記録する記録装置であって、
前記ＡＶデータを入力し、その入力ＡＶデータに対して新規にファイルを生成する状態で前記入力ＡＶデータを記録手段に送出するファイル生成手段と、
前記ＡＶデータを入力し、前記記録媒体内に既に存在するファイル内の記録ＡＶデータの最後に連続するように前記入力ＡＶデータを追記させ、かつ、前記ＡＶデータ追加の先頭位置の情報を前記既に存在するファイルに付随する管理ファイルに記録するように制御を行い、そのように制御された前記入力ＡＶデータを前記記録手段に送出するファイル追記手段と、
記録時の条件に応じて前記ファイル生成手段と前記ファイル追記手段のうちのいずれか一方を選択して前記記録手段に接続する記録方法選択手段と、
を備えたＡＶデータ記録装置。
【請求項１１】
前記ファイル追記手段は、前記ＡＶデータ追加の先頭位置の情報の記録について、前記先頭位置を記録ＡＶファイルの内容の変化点として記録を行う請求項１０に記載のＡＶデータ記録装置。
【請求項１２】
前記ファイル追記手段は、前記ＡＶデータ追加の先頭位置の情報の記録について、前記先頭位置を記録ＡＶファイルの時刻情報の不連続点として記録を行う請求項１０に記載のＡＶデータ記録装置。
【請求項１３】
前記ファイル追記手段は、前記ＡＶデータ追加の先頭位置の情報の記録について、前記先頭位置を再生リストファイルに再生開始点として記録を行う請求項１０に記載のＡＶデータ記録装置。
【請求項１４】
前記記録方法選択手段は、前記記録時の条件として前記ＡＶデータの記録開始日時と前記記録媒体内に既に存在するＡＶファイルの生成日時とを比較し、両者の日付が同一である場合には前記ファイル追記手段を選択し、そうでない場合には前記ファイル生成手段を選択する請求項１０から請求項１３までのいずれかに記載のＡＶデータ記録装置。
【請求項１５】
前記記録方法選択手段は、前記記録時の条件として前記記録媒体内に既に存在するＡＶファイルの数が所定の数を超えるか否かを判定し、超える場合には前記ファイル追記手段を選択し、そうでない場合には前記ファイル生成手段を選択する請求項１０から請求項１３までのいずれかに記載のＡＶデータ記録装置。
【請求項１６】
前記記録方法選択手段は、前記記録時の条件として前記記録媒体内に既に存在するＡＶファイルのうちに所定のファイルサイズ以下のＡＶファイルが存在するか否かを判定し、存在する場合には前記ファイル追記手段を選択し、そうでない場合には前記ファイル生成手段を選択する請求項１０から請求項１３までのいずれかに記載のＡＶデータ記録装置。
【請求項１７】
前記記録方法選択手段は、前記記録媒体内に既に存在するＡＶファイルの記録操作者と、前記ＡＶデータの記録操作者が同一人物であれば前記の追加記録を選択し、そうでない場合は前記の独立したファイルとしての生成を選択する請求項１０から請求項１３までのいずれかに記載のＡＶデータ記録装置。
【発明の詳細な説明】
【技術分野】
【０００１】
本発明は、動画および音声データからなるＡＶ（Audio Visual）データを記録媒体（メディア）に記録する記録方法および記録装置に関し、特にビデオカメラで撮影されたＡＶデータを記録する技術に関する。
【背景技術】
【０００２】
近年、映像データや音声データなど（以下、ＡＶデータという）をデジタルデータとして光ディスク、フラッシュメモリ等のランダムアクセスが可能な記録媒体に記録するビデオカメラが提案されている。このような記録媒体を用いたビデオカメラにおいては、ＡＶデータを記録する場合、記録媒体上では“記録−記録停止”動作のたびに生成されるノンリニアな複数のファイルの集合として扱われる。そのため、“記録−記録停止”動作を繰り返すことにより多くのファイルが記録媒体内に生成されることになる。これは、テープへの記録と大きく異なるところである。結果として、ユーザーが再生時に記録媒体からファイルを選択する場合、ファイルが大量にあるため、検索性が悪く、所望のファイルを選択することが困難になるという問題があった。
【０００３】
また、比較的短い間隔で頻繁に“記録−記録停止”動作を繰り返すような場合、比較的容量の小さなファイルが大量に生成され、生成ファイル数が比較的短期間のうちに記録媒体に記録可能なファイル数の上限（規定最大ファイル数）に達してしまう。その結果、記録媒体の記録可能残容量はまだ十分にあるにもかかわらず、それ以上の記録ファイルを作ることができなくなるという問題があった。
【０００４】
検索性の改善策として、記録媒体内のファイルに対して例えば生成時間順の再生リストを作成し、その再生リストに基づく再生を行うことで、記録ファイルを生成時間順にリニアに再生する方法が提案されている（例えば、特許文献１参照）。
【０００５】
しかしながら、この方法ではファイルの生成順に再生できるものの、所望のファイルをランダムに選択し再生することはできない。また、生成ファイル数が比較的短期間のうちに規定最大ファイル数に達して、それ以上の記録ファイルを作ることができなくなってしまう問題については何も改善されない。
【特許文献１】特開２００３−２１７２６６号公報（第３−６頁、第１、９図）
【発明の開示】
【発明が解決しようとする課題】
【０００６】
上記の従来の、再生リストに基づいて生成時間順に記録ファイルをリニアに再生する技術の場合には、再生順序が固定化されていることから、ランダムな所望のＡＶデータを容易に選択できないという課題がある。
【０００７】
また、比較的短い間隔で頻繁に“記録−記録停止”動作を繰り返す結果、生成ファイル数が比較的短期間のうちに規定最大ファイル数に達してしまい、記録可能残容量は十分にあるにもかかわらず、それ以上の記録ファイルを作ることができなくなるという課題がある。
【課題を解決するための手段】
【０００８】
本発明は、上記の課題を解決するために次のような手段を講じる。
【０００９】
すなわち、本発明によるＡＶデータ記録方法は、動画および音声データからなるＡＶデータを記録媒体に記録する記録方法であって、前記ＡＶデータの記録時に前記記録媒体内に既に存在するファイルに追加して記録するか別の独立したファイルとして生成するかを所定の条件に応じて選択することを最も主要な特徴とする。
【００１０】
この場合に、前記既に存在するファイルに追加して記録することを選択した場合には、前記ＡＶデータを前記既に存在するＡＶファイルの終端の位置から追加記録し、かつ、前記ＡＶデータ追加の先頭位置の情報を前記ＡＶファイルに付随する管理ファイルに記録することが好ましい。
【００１１】
上記のＡＶデータ記録方法をＡＶデータ記録装置として展開すると、本発明によるＡＶデータ記録装置は、動画および音声データからなるＡＶデータを記録媒体に記録する記録装置であって、前記ＡＶデータを入力し、その入力ＡＶデータに対して新規にファイルを生成する状態で前記入力ＡＶデータを記録手段に送出するファイル生成手段と、前記ＡＶデータを入力し、前記記録媒体内に既に存在するファイル内の記録ＡＶデータの最後に連続するように前記入力ＡＶデータを追記させ、かつ、前記ＡＶデータ追加の先頭位置の情報を前記既に存在するファイルに付随する管理ファイルに記録するように制御を行い、そのように制御された前記入力ＡＶデータを前記記録手段に送出するファイル追記手段と、記録時の条件に応じて前記ファイル生成手段と前記ファイル追記手段のうちのいずれか一方を選択して前記記録手段に接続する記録方法選択手段とを備えたものである。
【００１２】
これによれば、追加記録を選択することにより、記録媒体内に生成されるファイル数が少なくなる。その結果、生成ファイル数が比較的短期間のうちに規定最大ファイル数に達してしまう可能性が抑制され、ＡＶデータの記録を引き続いて可能にすることができる。また、同一ファイル内で記録時刻を異にする複数の記録ＡＶデータが１まとまりとなっていても、付随する管理ファイルにおけるＡＶデータ追加の先頭位置の情報を利用することにより、ランダムに所望のＡＶデータを効率良く選択することができる。
【００１３】
上記構成において、前記ＡＶデータ追加の先頭位置の情報の記録については、前記先頭位置を記録ＡＶファイルの内容の変化点として記録を行ってもよいし、あるいは、前記先頭位置を記録ＡＶファイルの時刻情報の不連続点として記録を行ってもよい。また、前記先頭位置を再生リストファイルに再生開始点として記録を行ってもよい。これらは、ファイル追記手段が司るものである。
【００１４】
また、上記構成において、前記記録媒体内に既に存在するファイルに追加して記録するか別の独立したファイルとして生成するかを選択する条件については、次のように設定するのが好ましい。
【００１５】
１つの条件は、前記ＡＶデータの記録開始日時と前記記録媒体内に既に存在するＡＶファイルの生成日時とを比較し、両者の日付が同一である場合には前記の追加記録を選択し、そうでない場合には前記の独立したファイルとしての生成を選択することである。これは、ファイル追記手段が司るものである。日付が同一であることは、複数のＡＶデータの連続性ないし関連性が高く、１つのファイルにまとめることが有意義であるからである。
【００１６】
別の条件は、前記記録媒体内に既に存在するＡＶファイルの数が所定の数を超える場合には前記の追加記録を選択し、そうでない場合には前記の独立したファイルとしての生成を選択することである。これは、ファイル追記手段が司るものである。ファイル数が規定最大ファイル数に達すると、引き続いてのＡＶデータの記録が不能になるおそれがあるが、これを未然に避け、ＡＶデータの記録を引き続いて可能にするためである。
【００１７】
さらに別の条件は、前記記録媒体内に既に存在するＡＶファイルのうちに所定のファイルサイズ以下のＡＶファイルが存在する場合には前記の追加記録を選択し、そうでない場合には前記の独立したファイルとしての生成を選択することである。これは、ファイル追記手段が司るものである。サイズの小さなＡＶデータは、さらに続くであろうＡＶデータの入力を予感させるからである。
【００１８】
さらに別の条件は、前記記録媒体内に既に存在するＡＶファイルの記録操作者と、前記ＡＶデータの記録操作者が同一人物であれば前記の追加記録を選択し、そうでない場合には前記の独立したファイルとしての生成を選択することである。記録の操作にかかわる人物が同一であることは、人物が異なる場合に比べると、複数のＡＶデータの連続性ないし関連性がより高く、１つのファイルにまとめることに意味がある。一方、両者が互いに異なる人物であれば、新規にファイルを生成することがより合理的である。
【発明の効果】
【００１９】
本発明の記録方法は、ＡＶデータの記録時に既に存在するファイルに追加して記録するか、あるいは別の独立したファイルとして生成するかを、記録時の条件によって選択し、またファイルに追加する場合は追加するＡＶデータの先頭位置をそのファイルの管理情報に付加することにより、記録媒体内の多数のＡＶデータから所望のＡＶデータを効率良く選択することができ、かつ記録媒体内に生成されるファイル数を少なくし、生成ファイル数が比較的短期間のうちに規定最大ファイル数に達してしまう可能性を抑制して、引き続いての記録ファイルの生成を許容できるという利点がある。
【発明を実施するための最良の形態】
【００２０】
以下、本発明にかかわるＡＶデータ記録方法・装置の実施の形態を図面に基づいて詳細に説明する。
【００２１】
（実施の形態１）
図１は、本発明の実施の形態１のＡＶデータ記録装置の構成を示すブロック図である。
【００２２】
図１において、１０１はＡＶデータの入力手段、１０２はファイル生成手段、１０３はファイル追記手段、１０４は記録方法選択手段、１０５は記録手段、１０６は記録媒体である。
【００２３】
ファイル生成手段１０２およびファイル追記手段１０３は、入力手段１０１と記録手段１０５との間に介在されており、記録方法選択手段１０４は、記録時の条件に応じて、記録方法選択手段１０４とファイル追記手段１０３のうちいずれか一方を選択して、入力手段１０１と記録手段１０５とに接続するように構成されている。記録方法選択手段１０４による選択は、記録動作開始時に決定されるようになっている。ファイル生成手段１０２は、入力手段１０１から入力されたＡＶデータに対して新規にファイルを生成する機能を有する。記録手段１０５は、記録方法選択手段１０４またはファイル追記手段１０３からのＡＶデータを記録媒体１０６に書き込む機能を有する。
【００２４】
ファイル追記手段１０３は、入力手段１０１から入力したＡＶデータを、既に記録媒体１０６上に存在するファイル内の記録ＡＶデータの最後に連続する状態で追記するように制御を行い、その追記状態で入力ＡＶデータを記録手段１０５に送出するものである。
【００２５】
次に、以上のように構成された本実施の形態のＡＶデータ記録装置の動作を、図１、図２を参照して説明する。
【００２６】
記録に先立ってあらかじめ、記録方法選択手段１０４において、ファイル生成手段１０２とファイル追記手段１０３のいずれをアクティブにするかを設定しておく。ファイル生成手段１０２を選択したときは、入力手段１０１、ファイル生成手段１０２および記録手段１０５が関連付けられる。一方、ファイル追記手段１０３を選択したときは、入力手段１０１、ファイル追記手段１０３および記録手段１０５が関連付けされる。後者の場合、記録媒体１０６内の追記対象となるファイルの指定も、記録方法選択手段１０４において行われ、その指定はファイル追記手段１０３に与えられる。
【００２７】
記録を開始すると、撮影等で得られたＡＶデータが入力手段１０１に入力され、ファイル生成手段１０２またはファイル追記手段１０３を介して記録手段１０５に送られる。
【００２８】
（ａ）ファイル生成手段１０２を選択する場合
ファイル生成手段１０２がアクティブとなり、入力されてきたＡＶデータに対してファイル生成手段１０２が新規にファイルを生成し、記録手段１０５を通じて、記録媒体１０６に新規ファイルのもとでＡＶデータが記録される。
【００２９】
（ｂ）ファイル追記手段１０３を選択する場合
ファイル追記手段１０３がアクティブとなる。追記対象の既存ファイルがどれであるかの指定はあらかじめ記録方法選択手段１０４から受けている。ファイル追記手段１０３は、入力されてきたＡＶデータについて、追記対象の既存ファイルのもとで、そのファイル内の記録ＡＶデータの最後に連続する状態で入力ＡＶデータを追記できる形態の調整ＡＶデータを生成する。この追記状態に調整された調整ＡＶデータは記録手段１０５を通じて記録媒体１０６に記録される。すなわち、調整ＡＶデータは、追記対象の既存ファイル内の記録ＡＶデータの最後に連続する状態で記録される。このとき、並行して、記録ＡＶデータに対する入力ＡＶデータの追加の先頭位置の情報が管理ファイルに記録される。その管理ファイルは既存ファイルに付随している。
【００３０】
次に、記録方法選択手段１０４の動作例について説明する。
【００３１】
（ｉ）日付け情報に基づく選択
記録方法選択手段１０４は、入力ＡＶデータの記録動作開始日時を管理する。既に記録された記録ＡＶデータのファイルの生成日時も管理する。
【００３２】
記録方法選択手段１０４は、入力ＡＶデータの記録動作開始日時のデータと記録媒体１０６内のファイルの生成日時のデータとを比較し、両者が同一の日付であれば、そのファイルを追記対象ファイルに設定する。そして、追記対象ファイルに対して入力ＡＶデータを追記するためにファイル追記手段１０３を選択し、アクティブにする。日付が同一であることは、複数のＡＶデータの連続性ないし関連性が高く、１つのファイルにまとめることが有意義であるからである。
【００３３】
一方、両者が互いに異なる日付であれば、記録方法選択手段１０４は、新規にファイルを生成するためにファイル生成手段１０２を選択し、アクティブにする。
【００３４】
（ii）ファイル作成者に基づく選択
記録方法選択手段１０４において、記録の操作を行う人の識別データを入力するように構成しておく。その識別データは記録ＡＶデータの属性データとして記録されるものとする。
【００３５】
記録方法選択手段１０４は、入力ＡＶデータの記録操作者のデータと記録媒体１０６内のファイルの作成者のデータとを比較し、両者が同一人物であれば、そのファイルを追記対象ファイルに設定する。そして、追記対象ファイルに対して入力ＡＶデータを追記するためにファイル追記手段１０３を選択し、アクティブにする。記録の操作にかかわる人物が同一であることは、人物が異なる場合に比べると、複数のＡＶデータの連続性ないし関連性がより高く、１つのファイルにまとめることに意味がある。
【００３６】
一方、両者が互いに異なる人物であれば、記録方法選択手段１０４は、新規にファイルを生成するためにファイル生成手段１０２を選択し、アクティブにする。
【００３７】
（iii）ファイルサイズに基づく選択
記録方法選択手段１０４は、記録媒体１０６内のファイルについて、そのファイルサイズを監視し、所定の閾値サイズよりも小さいファイルがあれば、そのファイルを追記対象ファイルに設定する。そして、追記対象ファイルに対して入力ＡＶデータを追記するためにファイル追記手段１０３を選択し、アクティブにする。サイズの小さなＡＶデータは、さらに続くであろうＡＶデータの入力を予感させる。
【００３８】
一方、所定の閾値サイズよりも小さいファイルがなければ、記録方法選択手段１０４は、新規にファイルを生成するためにファイル生成手段１０２を選択し、アクティブにする。
【００３９】
（iv）記録時間に基づく選択
記録方法選択手段１０４は、記録媒体１０６内の記録ＡＶデータについて、その記録時間を監視し、所定の閾値時間よりも小さいときは、そのファイルを追記対象ファイルに設定する。そして、追記対象ファイルに対して入力ＡＶデータを追記するためにファイル追記手段１０３を選択し、アクティブにする。記録時間の小さなＡＶデータは、さらに続くであろうＡＶデータの入力を予感させる。
【００４０】
一方、所定の閾値時間以上の記録ＡＶデータとなっていれば、記録方法選択手段１０４は、新規にファイルを生成するためにファイル生成手段１０２を選択し、アクティブにする。
【００４１】
（ｖ）ファイル数に基づく選択
記録方法選択手段１０４は、記録媒体１０６内のファイルについて、そのファイル数を監視し、所定の閾値を超えるときは、最後のファイルを追記対象ファイルに設定する。そして、追記対象ファイルに対して入力ＡＶデータを追記するためにファイル追記手段１０３を選択し、アクティブにする。ファイル数が規定最大ファイル数に達すると、引き続いてのＡＶデータの記録が不能になるおそれがあるが、これを未然に避け、ＡＶデータの記録を引き続いて可能にするためである。
【００４２】
一方、ファイル数が所定の閾値未満であれば、記録方法選択手段１０４は、新規にファイルを生成するためにファイル生成手段１０２を選択し、アクティブにする。
【００４３】
なお、上記の（ｉ）〜（ｖ）のうち任意の複数の組み合わせを条件としてもよい。
【００４４】
次に、ファイル追記手段１０３がアクティブとなる場合の記録データの内容について、図２を用いて説明する。図２はファイル追記手段１０３を介して記録された記録媒体１０６内の記録データの内容の一例である。
【００４５】
ＡＶファイル２０１は、異なる日時に生成された複数のＡＶデータ２０２，２０３，２０４，２０５によって構成されている。そして、先頭のＡＶデータ２０２の記録開始時刻情報と、その先頭ＡＶデータ２０２の記録開始時刻情報を起点とする他のＡＶデータ２０３，２０４，２０５の記録開始時刻情報とが管理ファイルに含まれている。
【００４６】
また、それぞれのＡＶデータの継ぎ目となる部分にはＡＶデータが時間的に不連続であることを表す不連続点フラグ２０６が付与されている。また、ＡＶデータの継ぎ目となる部分には再生開始点を表す表示マーカー２０７も付与されている。ＡＶデータの継ぎ目の部分を再生開始点として記録してもよい。このようにすることにより、同一ファイル内で１まとまりとなっているように見える記録ＡＶデータでも、実は複数の記録時刻を互いに異にする複数の記録ＡＶデータの組み合わせからなることを知ることができる。これは、任意の１つの記録ＡＶデータをランダムに選択して再生する上で、その選択の効率性を高めることができる。
【００４７】
このような記録方法により、“記録−記録停止”動作を繰り返した場合のファイル数の増加を抑制することができる。すなわち、生成ファイル数が比較的短期間のうちに記録媒体の規定最大ファイル数に達するのをなるべく遅らせることができる。
【００４８】
次に、再生について説明する。例えば、上述のように同一日付を単位とする状態でファイルを生成した場合に、ユーザは所望の記録ＡＶデータを選択するに際して、まず、日付のファイルを選択し、次に選択されたファイル内の表示マーカー２０６に基づいて記録ＡＶデータの選択を行うことができる。これにより、任意の１つの記録ＡＶデータをランダムに選択して再生することが効率良く行える。
【産業上の利用可能性】
【００４９】
本発明によるＡＶデータ記録方法は、ランダムアクセスが可能で“記録−記録停止”動作のたびに個別的・ノンリニアに生成されるファイルを単位として記録が行われ、したがって、生成ファイル数が比較的短期間のうちに規定最大ファイル数に達しやすい傾向をもつデジタル記録媒体が使用されるビデオカメラの記録方法等として有用であり、特に、生成ファイル数を抑制して規定最大ファイル数に達するまでの期間を長くし、それでいて記録媒体内からランダムに所望のＡＶデータを効率良く選択する技術として有用である。
【図面の簡単な説明】
【００５０】
【図１】本発明の実施の形態１におけるＡＶデータ記録装置の構成を示すブロック図
【図２】本発明の実施の形態１における記録媒体内のデータの形態を示す図
【符号の説明】
【００５１】
１０１  入力手段
１０２  ファイル生成手段
１０３  ファイル追記手段
１０４  記録方法選択手段
１０５  記録手段
１０６  記録媒体
２０１  ＡＶファイル
２０２  先頭のＡＶデータ
２０３，２０４，２０５  先頭以外のＡＶデータ
２０６  不連続点フラグ
２０７  表示マーカー
【図１】
2005293749.tif 000003
【図２】
2005293749.tif 000004